(57)【要約】【課題】  浮上がり防止部材を、比較的に強度を有しながら、安価で製作可能なものとし、マンホールに安定して確実に固定し、マンホール内からの取り付けが容易であると共に確実な防水効果も有する浮上がり防止付マンホールを提供する。【解決手段】  マンホール外周面から放射方向に突出する複数本の浮上がり防止部材２を備えた浮上がり防止付マンホールにおいて、浮上がり防止部材を、マンホールに適用される足掛具３と、該足掛具のマンホール壁４内に固着される両脚部５からそれぞれ延長した芯材６を合成樹脂７で被覆した延長部８とで構成し、脚部の合成樹脂の被覆外周を凹凸形状１１としてマンホール壁内に接着剤１７により固着すると共に該脚部のマンホール壁内両端部に水膨張パッキン１２が付設された浮上がり防止付マンホール。【選択図】        図４
2010150799.tif 000002
【特許請求の範囲】
【請求項１】
マンホール外周面から放射方向に突出する複数本の浮上がり防止部材を備えた浮上がり防止付マンホールにおいて、浮上がり防止部材を、マンホールに適用される足掛具と、該足掛具のマンホール壁内に固着される両脚部からそれぞれ延長した芯材を合成樹脂で被覆した延長部とで構成し、前記脚部の合成樹脂の被覆外周を凹凸形状としてマンホール壁内に接着剤により固着すると共に該脚部のマンホール壁内両端部に水膨張パッキンを付設したことを特徴とする浮上がり防止付マンホール。
【発明の詳細な説明】
【技術分野】
【０００１】
本発明は、マンホール外周面から放射方向に突出する複数本の浮上がり防止部材を備えた浮上がり防止付マンホールに関するものである。
【背景技術】
【０００２】
従来，浮上がり防止付マンホールとして、マンホール壁の複数箇所の外周面に固定金具を設置し、該固定金具にマンホールの外壁から放射方向に突出させる複数本の鋼製の浮上がり防止部材を取り付けたものがある（例えば特許文献１参照。）。
【０００３】
【特許文献１】特開２００７−１３２０７２号公報
【発明の開示】
【発明が解決しようとする課題】
【０００４】
ところで、前記従来技術の浮上がり防止付マンホールでは、浮上がり防止部材が形鋼材を使用していることから高価なものであると共に浮上がり防止部材がマンホール壁の外周面の固定金具に取り付けられていることから浮上がり防止部材の固定が不安定になる虞がある。
【０００５】
本発明は、従来の技術の有するこのような問題点に鑑みてなされたものであり、その目的とするところは、浮上がり防止部材を、比較的に強度を有しながら、安価で製作可能なものとし、マンホールに安定して確実に固定し、マンホール内からの取り付けが容易であると共に確実な防水効果も有する浮上がり防止付マンホールを提供しようとするものである。
【課題を解決するための手段】
【０００６】
上記目的を達成するために、本発明における浮上がり防止付マンホールは、浮上がり防止部材を、マンホールに適用される足掛具と、該足掛具のマンホール壁内に固着される両脚部からそれぞれ延長した芯材を合成樹脂で被覆した延長部とで構成し、前記脚部の合成樹脂の被覆外周を凹凸形状としてマンホール壁内に接着剤により固着すると共に該脚部のマンホール壁内両端部に水膨張パッキンを付設したものである。
【発明の効果】
【０００７】
本発明の浮上がり防止付マンホールは、浮上がり防止部材を、マンホールに適用される足掛具と、該足掛具のマンホール壁内に固着される両脚部からそれぞれ延長した芯材を合成樹脂で被覆した延長部とで構成し、前記脚部の合成樹脂の被覆外周を凹凸形状としてマンホール壁内に接着剤により固着すると共に該脚部のマンホール壁内両端部に水膨張パッキンを付設したので、浮上がり防止部材を比較的に強度を有しながら、安価で製作可能なものとし、マンホール内からの取り付けが容易であり、マンホールに安定して確実に固定し、長期使用にも耐え得ると共に確実な防水効果も有する浮上がり防止付マンホールとなる。
【発明を実施するための最良の形態】
【０００８】
マンホール外周面から放射方向に突出する複数本の浮上がり防止部材を備えた浮上がり防止付マンホールにおいて、浮上がり防止部材を、マンホールに適用される足掛具と、該足掛具のマンホール壁内に固着される両脚部からそれぞれ延長した芯材を合成樹脂で被覆した延長部とで構成し、前記脚部の合成樹脂の被覆外周を凹凸形状としてマンホール壁内に接着剤により固着すると共に該脚部のマンホール壁内両端部に水膨張パッキンを付設した浮上がり防止付マンホールである。
【実施例】
【０００９】
図１ないし図４は本発明の実施例に関するものであり、図１は浮上がり防止付マンホールの正面断面説明図、図２は浮上がり防止部材をマンホールに取り付けた平面説明図、図３は芯材を延長させた延長部を合成樹脂で被覆した足掛具の拡大平面図、図４は浮上がり防止部材をマンホールに取り付ける要部拡大説明図である。
【００１０】
図において、１はマンホールであり、該マンホール１の外周面から放射方向に突出する二本の平行部材からなる浮上がり防止部材２，２が、上下複数段にわたってそれぞれ三方向に配置されている。
なお、浮上がり防止部材２の突出寸法は、マンホール１から約３００ｍｍから６００ｍｍであり、二本が組みとなっており、コスト，強度等からみて好適な寸法であり、長い方が浮上防止効果は向上する。
【００１１】
前記浮上がり防止部材２は、マンホール１に適用される足掛具３と、該足掛具３のマンホール壁４内に固着される両脚部５，５からそれぞれ延長した芯材６を合成樹脂７で被覆した延長部８，８とで構成されている。
なお、足掛具３の芯材６としては例えば鉄材，鋼材，強化プラスチック等が使用可能である。
また、足掛具３の被覆される合成樹脂７は、例えばポリプロピレン，ポリエチレン，ナイロン等が使用可能である。
【００１２】
前記足掛具３は図３に示すように、足踏部９とその両側に位置する側部１０，１０と脚部５，５とで構成され、これら足踏部９と側部１０と脚部５とは平面視コ字状をした芯材６に合成樹脂７を被覆してなり、脚部５，５から芯材６が延長され、該延長部８にも前記合成樹脂７が被覆されてこの延長部８，８は足掛具３に一体成形されている。
【００１３】
前記脚部５，５の合成樹脂７の被覆外周は、多数の凹凸形状１１，１１とし、該凹凸形状１１，１１の両端部近傍には水膨張パッキン１２，１２が付設されている。
また、側部１０，１０と脚部５，５の境界部近傍には自在ワッシャー１３，１３が設けられている。
【００１４】
以上のような構成からなる浮上がり防止付マンホールは、新設のマンホール，既存のマンホールを問わずに浮上がり防止部材２の取り付けが可能であるが、特に既存のマンホールにおいてマンホール内で簡単，容易に取り付けできるものである。
【００１５】
先ず、マンホール１の外周面から放射方向に浮上がり防止部材２を突出させたい箇所でマンホール内壁１４に足掛具３の脚部５の直径の大きさに対応した孔１５を足掛具３の脚部５，５の間隔で平行に二つ穿設し、マンホール１の外周の土に前記延長部８の直径の大きさに対応し、且つ略延長部８の長さに対応した孔１６が穿設されている。
【００１６】
次に、前記浮上がり防止部材２をマンホール１内に搬入し、マンホール内壁１４に穿設した孔１５の内周に接着剤１７を塗布して、浮上がり防止部材２を孔１５に挿入し、延長部８を孔１６に配置し、脚部５を孔１５に装着させ、前記自在ワッシャー１３をマンホール内壁１４に当接させて、浮上がり防止部材２を容易にマンホール１に取り付けることができる。
この際、脚部５，５の合成樹脂７の被覆外周に形成した多数の凹凸形状１１により、脚部５，５のマンホール壁４内の接着固定が強固なものとなり、浮上がり防止部材２はマンホール内壁１４に安定した確実な固定をすることができる。
さらに、凹凸形状１１，１１の両端部近傍に付設された水膨張パッキン１２，１２により、脚部５の外周とマンホール壁１４間は確実に防水効果を発揮する。
【００１７】
このように足掛具３の芯材６を合成樹脂７で被覆した延長部８，８が、マンホール１の外周面から放射方向に突出する二本の平行部材からなる浮上がり防止部材２，２となるので、浮上がり防止部材２は比較的に強度を有しながら、安価で製作可能なものとすると共に取り付けられた浮上がり防止部材２，２は錆び難く、長期使用にも耐え得るものとなる。
【００１８】
また、足掛具３を使用することで、二本の浮上がり防止部材２を容易に取り付けることができると共にマンホール１内に設置されている通常の足掛具１８の補助として足乗せ，手すり等の役割をすることも可能となる。
なお、本実施例では足掛具３の脚部５をマンホール内壁１４に横に平行に装着したが、マンホールに応じて縦，斜め等に装着することも可能である。
【図面の簡単な説明】
【００１９】
【図１】本発明に係る浮上がり防止付マンホールの正面断面説明図である。
【図２】浮上がり防止部材をマンホールに取り付けた平面説明図である。
【図３】芯材を延長させた延長部を合成樹脂で被覆した足掛具の拡大平面図である。
【図４】浮上がり防止部材をマンホールに取り付ける要部拡大説明図である。
【符号の説明】
【００２０】
１                  マンホール
２                  浮上がり防止部材
３                  足掛具
４                  マンホール壁
５                  脚部
６                  芯材
７                  合成樹脂
８                  延長部
１１                凹凸形状
１２                水膨張パッキン
１７                接着剤
【図１】
2010150799.tif 000003
【図２】
2010150799.tif 000004
【図３】
2010150799.tif 000005
【図４】
2010150799.tif 000006